【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
補助スイッチング素子のスイッチングのタイミングを制御することによって、主スイッチング素子をターンオンする際の印加電圧を制御するソフトスイッチング動作を用いたチョッパ回路であって、
前記主スイッチング素子と前記補助スイッチング素子とをそれぞれターンオンする主ターンオン信号と補助ターンオン信号とを入力し、前記補助ターンオン信号が入力されない場合には、前記主スイッチング素子をターンオンさせない論理回路を備え、
前記論理回路は、第１のＡＮＤ回路素子と、第２のＡＮＤ回路素子と、ＯＲ回路素子とを備え、
前記第１のＡＮＤ回路素子は、前記主ターンオン信号と前記補助ターンオン信号とを受信し、
前記第２のＡＮＤ回路素子は、前記主ターンオン信号と前記ＯＲ回路素子からの信号とを受信し、
前記ＯＲ回路素子は、前記第１のＡＮＤ回路素子からの信号と前記第２のＡＮＤ回路素子からの信号とを受信し、
前記主スイッチング素子は、前記ＯＲ回路素子からの信号によってターンオンし、
前記補助スイッチング素子は、前記補助ターンオン信号によってターンオンする
チョッパ回路。
【請求項２】
請求項１に記載のチョッパ回路であって、
前記論理回路は遅延回路を備え、
前記遅延回路は、前記補助ターンオン信号が前記補助スイッチング素子に入力されてから所定の時間が経過しないと前記主スイッチング素子をターンオンさせない
チョッパ回路。
【請求項３】
ＤＣ／ＤＣコンバータであって、
直流電源に接続されているＤＣ入力部と、
前記ＤＣ入力部から入力した直流電力の電圧を変換するチョッパ回路と、
前記チョッパ回路によって電圧が変換された直流電圧を出力するＤＣ出力部と
を備え、
前記チョッパ回路は、
主スイッチング素子と補助スイッチング素子とを備え、前記補助スイッチング素子のスイッチングのタイミングを制御することによって、前記主スイッチング素子をターンオンする際の印加電圧を制御するソフトスイッチング動作を用いており、
前記主スイッチング素子と前記補助スイッチング素子とをそれぞれターンオンする主ターンオン信号と補助ターンオン信号とを入力する入力し、前記補助ターンオン信号が入力されない場合には、前記主スイッチング素子をターンオンさせない論理回路を備え、
前記論理回路は、第１のＡＮＤ回路素子と、第２のＡＮＤ回路素子と、ＯＲ回路素子とを備え、
前記第１のＡＮＤ回路素子は、前記主ターンオン信号と前記補助ターンオン信号とを受信し、
前記第２のＡＮＤ回路素子は、前記主ターンオン信号と前記ＯＲ回路素子からの信号とを受信し、
前記ＯＲ回路素子は、前記第１のＡＮＤ回路素子からの信号と前記第２のＡＮＤ回路素子からの信号とを受信し、
前記主スイッチング素子は、前記ＯＲ回路素子からの信号によってターンオンし、
前記補助スイッチング素子は、前記補助ターンオン信号によってターンオンする
ＤＣ／ＤＣコンバータ。
【請求項４】
燃料電池システムであって、
負荷に対して電力を供給する燃料電池と、
スイッチング素子を備えるチョッパ回路を用いることによって前記電力の電圧制御を行うＤＣ／ＤＣコンバータと
を備え、
前記チョッパ回路は、
主スイッチング素子と補助スイッチング素子とを備え、前記補助スイッチング素子のスイッチングのタイミングを制御することによって、前記主スイッチング素子をターンオンする際の印加電圧を制御するソフトスイッチング動作を用いており、
前記主スイッチング素子と前記補助スイッチング素子とをそれぞれターンオンする主ターンオン信号と補助ターンオン信号とを入力し、前記補助ターンオン信号が入力されない場合には、前記主スイッチング素子をターンオンさせない論理回路を備え、
前記論理回路は、第１のＡＮＤ回路素子と、第２のＡＮＤ回路素子と、ＯＲ回路素子とを備え、
前記第１のＡＮＤ回路素子は、前記主ターンオン信号と前記補助ターンオン信号とを受信し、
前記第２のＡＮＤ回路素子は、前記主ターンオン信号と前記ＯＲ回路素子からの信号とを受信し、
前記ＯＲ回路素子は、前記第１のＡＮＤ回路素子からの信号と前記第２のＡＮＤ回路素子からの信号とを受信し、
前記主スイッチング素子は、前記ＯＲ回路素子からの信号によってターンオンし、
前記補助スイッチング素子は、前記補助ターンオン信号によってターンオンする
燃料電池システム。
【手続補正２】
【補正対象書類名】明細書
【補正対象項目名】０００５
【補正方法】変更
【補正の内容】
【０００５】
本発明は、上述の課題の少なくとも一部を解決するために、以下の形態または適用例を取ることが可能である。
本発明の一形態は、補助スイッチング素子のスイッチングのタイミングを制御することによって、主スイッチング素子をターンオンする際の印加電圧を制御するソフトスイッチング動作を用いたチョッパ回路であって、前記主スイッチング素子と前記補助スイッチング素子とをそれぞれターンオンする主ターンオン信号と補助ターンオン信号とを入力し、前記補助ターンオン信号が入力されない場合には、前記主スイッチング素子をターンオンさせない論理回路を備え、前記論理回路は、第１のＡＮＤ回路素子と、第２のＡＮＤ回路素子と、ＯＲ回路素子とを備え、前記第１のＡＮＤ回路素子は、前記主ターンオン信号と前記補助ターンオン信号とを受信し、前記第２のＡＮＤ回路素子は、前記主ターンオン信号と前記ＯＲ回路素子からの信号とを受信し、前記ＯＲ回路素子は、前記第１のＡＮＤ回路素子からの信号と前記第２のＡＮＤ回路素子からの信号とを受信し、前記主スイッチング素子は、前記ＯＲ回路素子からの信号によってターンオンし、前記補助スイッチング素子は、前記補助ターンオン信号によってターンオンするチョッパ回路。
このような形態であれば、補助ターンオン信号が送信系統の異常等で補助スイッチング素子に入力される手前で消滅した場合には、論理回路が主スイッチング素子をターンオンさせない。よって、主スイッチング素子がハードスイッチング動作を行うことがなく、主スイッチング素子の破損を回避することができる。
また、本発明の他の形態は、ＤＣ／ＤＣコンバータであって、直流電源に接続されているＤＣ入力部と、前記ＤＣ入力部から入力した直流電力の電圧を変換するチョッパ回路と、前記チョッパ回路によって電圧が変換された直流電圧を出力するＤＣ出力部とを備え、前記チョッパ回路は、主スイッチング素子と補助スイッチング素子とを備え、前記補助スイッチング素子のスイッチングのタイミングを制御することによって、前記主スイッチング素子をターンオンする際の印加電圧を制御するソフトスイッチング動作を用いており、前記主スイッチング素子と前記補助スイッチング素子とをそれぞれターンオンする主ターンオン信号と補助ターンオン信号とを入力する入力し、前記補助ターンオン信号が入力されない場合には、前記主スイッチング素子をターンオンさせない論理回路を備え、前記論理回路は、第１のＡＮＤ回路素子と、第２のＡＮＤ回路素子と、ＯＲ回路素子とを備え、前記第１のＡＮＤ回路素子は、前記主ターンオン信号と前記補助ターンオン信号とを受信し、前記第２のＡＮＤ回路素子は、前記主ターンオン信号と前記ＯＲ回路素子からの信号とを受信し、前記ＯＲ回路素子は、前記第１のＡＮＤ回路素子からの信号と前記第２のＡＮＤ回路素子からの信号とを受信し、前記主スイッチング素子は、前記ＯＲ回路素子からの信号によってターンオンし、前記補助スイッチング素子は、前記補助ターンオン信号によってターンオンするＤＣ／ＤＣコンバータ。
このような形態であれば、上記形態と同様に、補助ターンオン信号が送信系統の異常等で補助スイッチング素子に入力される手前で消滅した場合には、論理回路が主スイッチング素子をターンオンさせない。よって、主スイッチング素子がハードスイッチング動作を行うことがなく、主スイッチング素子の破損を回避することができる。
さらに、本発明の他の形態は、燃料電池システムであって、負荷に対して電力を供給する燃料電池と、スイッチング素子を備えるチョッパ回路を用いることによって前記電力の電圧制御を行うＤＣ／ＤＣコンバータとを備え、前記チョッパ回路は、主スイッチング素子と補助スイッチング素子とを備え、前記補助スイッチング素子のスイッチングのタイミングを制御することによって、前記主スイッチング素子をターンオンする際の印加電圧を制御するソフトスイッチング動作を用いており、前記主スイッチング素子と前記補助スイッチング素子とをそれぞれターンオンする主ターンオン信号と補助ターンオン信号とを入力し、前記補助ターンオン信号が入力されない場合には、前記主スイッチング素子をターンオンさせない論理回路を備え、前記論理回路は、第１のＡＮＤ回路素子と、第２のＡＮＤ回路素子と、ＯＲ回路素子とを備え、前記第１のＡＮＤ回路素子は、前記主ターンオン信号と前記補助ターンオン信号とを受信し、前記第２のＡＮＤ回路素子は、前記主ターンオン信号と前記ＯＲ回路素子からの信号とを受信し、前記ＯＲ回路素子は、前記第１のＡＮＤ回路素子からの信号と前記第２のＡＮＤ回路素子からの信号とを受信し、前記主スイッチング素子は、前記ＯＲ回路素子からの信号によってターンオンし、前記補助スイッチング素子は、前記補助ターンオン信号によってターンオンする燃料電池システム。
上記形態と同様に、補助ターンオン信号が送信系統の異常等で補助スイッチング素子に入力される手前で消滅した場合には、論理回路が主スイッチング素子をターンオンさせない。よって、主スイッチング素子がハードスイッチング動作を行うことがなく、主スイッチング素子の破損を回避することができる。
その他、本発明は、以下のような形態として実現することも可能である。